(57)【要約】【課題】従来は操作環境内の任意の箇所に固定されたリモートコントロール装置は左右キーや十字キーなどの方向性のある操作キーの向きがユーザの使いやすい向きと一致しないことがある。【解決手段】複数の操作箇所を有し、多機能操作が可能なリモートコントロール装置の本体に円形嵌合部を備え、上記リモートコントロール装置本体の円形嵌合部と嵌合し、円形嵌合部の円周方向で任意の位置にリモートコントロール装置本体を位置決めする被嵌合部を有し、かつ操作環境内の任意の箇所に固着具で固着された保持具と、任意の位置で位置決めされたリモートコントロール装置本体と保持具とを固定する固定具とを備える。【選択図】図４
2006290143.tif 000002
【特許請求の範囲】
【請求項１】
複数の操作箇所を備え、多機能操作が可能なリモートコントロール装置において、
操作キーを有する操作面以外の面に円形嵌合部を有するリモートコントロール装置本体と
このリモートコントロール装置本体の円形嵌合部と嵌合し、円形嵌合部の円周方向で任意の位置に位置決めする被嵌合部を有し、上記リモートコントロール装置本体を保持する保持具と、
この保持具に任意の位置で保持された上記リモートコントロール装置本体と保持具とを固定する固定具と、
上記保持具を操作環境内の任意の箇所に固着する固着具とを備えたリモートコントロール装置。
【請求項２】
上記リモートコントロール装置本体の円形嵌合部と、上記保持具の被嵌合部は何れか一方がその円周面に複数の歯車状の歯が突設された円柱で、他方はその内周面に上記円柱の歯と勘合する複数の受け歯が設けられ、上記円柱が嵌合される孔であることを特徴とする請求項１記載のリモートコントロール装置。
【請求項３】
上記リモートコントロール装置本体の円形嵌合部は円柱で、その周壁の一部にリング状の突起を有し、更にその底面は複数の凹凸を有し、
上記保持具の被嵌合部は円柱状の刳り抜き部を備え、刳り抜き部の内底面は上記リモートコントロール装置本体円柱部の、複数の凹凸に嵌合する複数の凹凸を有し、
上記固定具は、Ｌ字状をなしその横棒部先端が上記リモートコントロール装置本体の円柱の円周に合致する円弧状の切り欠き部を有し、円柱のリング状突起に係合して保持具にネジで固定される構成とされることを特徴とする請求項１記載のリモートコントロール装置。
【請求項４】
上記リモートコントロール装置本体の円形嵌合部は円柱で、その周壁の一部にリング状の突起を有し、更にその底面はループ状に閉じられた繊維糸またはループ状繊維糸に係合する鉤状突起が密接して全面に突設され、
上記保持具の被嵌合部は円柱状の刳り抜き部を備え、刳り抜き部の内底面は上記ループ状繊維糸に係合する鉤状突起またはループ状繊維糸が密接して全面に突設され、
上記固定具は、Ｌ字状をなしその横棒部先端が上記リモートコントロール装置本体の円柱の円周に合致する円弧状の切り欠き部を有し、円柱のリング状突起に係合して保持具にネジで固定される構成とされることを特徴とする請求項１記載のリモートコントロール装置。
【請求項５】
上記リモートコントロール装置本体の円形嵌合部は円柱で、その周壁の一部にリング状の突起を有し、更にその底面は永久磁石または磁性体が固着され、
上記保持具の被嵌合部は円柱状の刳り抜き部を備え、刳り抜き部の内底面は磁性体または永久磁石が固着され、
上記固定具は、Ｌ字状をなしその横棒部先端が上記リモートコントロール装置本体の円柱の円周に合致する円弧状の切り欠き部を有し、円柱のリング状突起に係合して保持具にネジで固定される構成とされることを特徴とする請求項１記載のリモートコントロール装置。
【請求項６】
上記リモートコントロール装置本体の円形嵌合部は円柱で、その底面にはネジ穴設けられ、
上記保持具の被嵌合部は円柱状の刳り抜き部を備え、刳り抜き部の内底面は上記リモートコントロール装置本体の円柱底面ネジ穴に対応する箇所に貫通孔が設けられ、
上記固定具は、上記保持具の外側から貫通孔を貫通して上記リモートコントロール装置本体円柱のネジ穴にネジ止めされるネジであることを特徴とする請求項１記載のリモートコントロール装置。
【請求項７】
上記リモートコントロール装置本体の円形嵌合部は円柱で、その周壁の一部にリング状に断面Ｕ字状の溝が設けられ、
上記保持具の被嵌合部は円柱状の孔と、孔の周壁部に外部から円柱孔にまで貫通するネジ孔が設けられ、
上記固定具は、上記保持具の外側からネジ孔を通してその先端がＵ字状の溝に圧接するネジであることを特徴とする請求項１記載のリモートコントロール装置。
【請求項８】
上記リモートコントロール装置本体の円形嵌合部は円柱で、その周壁はネジ山が設けられ、
上記保持具の被嵌合部は上記リモートコントロール装置本体の円柱が貫挿可能な円柱状の孔であり、
上記固定具は、上記リモートコントロール装置本体の円柱ネジに上記保持具の外側からネジ止めするナットであることを特徴とする請求項１記載のリモートコントロール装置。
【発明の詳細な説明】
【技術分野】
【０００１】
この発明は、機器に制御コマンド等を送信するリモートコントロール装置に関し、その使い勝手の向上を図るものである。
【背景技術】
【０００２】
近年、車輌のインストルメントパネルには、オーディオ装置やナビゲーション装置などの種々の電子機器が取り付けられるようになり、それらを簡便に操作できるようにリモートコントロール装置が使用されている。リモートコントロール装置はすぐに手に取れるように座席においておくことが多いが座席から落ちたり、走行中に位置が移動したりして、探すことがあるので確実に手に取ることができるように、リモートコントロール装置をハンドルリムに取り付けて使用するリモートコントロール装置が提供されている。
【０００３】
ハンドルリム用リモートコントロール装置ではリモートコントロール装置の発光部の向きをインストルメントパネル上の相手装置に対して適切に向けないと、リモートコントロール装置と相手装置との間の送受信が正しく行われないという問題がある。例えば固定バンドによりリモートコントロール装置をハンドルリムに取り付ける場合は、取り付け位置は変更できるものの、リモートコントロール装置の取り付け位置は、運転操作や視野の邪魔にならないようにするという制約があるため、リモートコントロール装置の取り付け位置を変更しても、リモートコントロール装置の発光部の向きを相手装置に適切に向けることができないことがある。
【０００４】
そのために特開2001-309466号公報では、車輌のハンドルリムに取り付けられるホルダーと、このホルダーに角度調整可能に取り付けられた取り付け台と、この取り付け台に着脱自在に取り付けられるリモートコントロール装置を備え、取り付け台にリモートコントロール装置を取り付けて、インストルメントパネル上の相手装置に対して送受信が確実に行われるホルダーの位置を探しながらハンドルリムに仮止めし、この位置で送受信感度の良好な角度を探し最も感度の良い位置の角度に固定して、リモートコントロール装置を適切な方向に角度調整して取り付けることができる装置が開示されている。
【０００５】
【特許文献１】特開2001-309466号公報
【発明の開示】
【発明が解決しようとする課題】
【０００６】
上記従来の技術はリモートコントロール装置と相手装置との信号の送受信を確実に行うものためにハンドルリムの最も感度の良い位置に固定される。そのため、左右キーや十字キーなどの方向性のある操作キーの向きがユーザの使いやすい向きと一致しないことがある。
また、多数の機能を操作可能とするために操作キーを多数有するリモートコントロール装置の場合は、取り付け位置によって操作キーの位置が変化する。例えば、ハンドルリムの上側に取り付けた場合と、ハンドルリムのした側に取り付けた場合とでは上下が逆になる。
さらに、リモートコントロール装置を使った装置の操作では、連続操作を行うことが多いので、操作キーが使いにくい向きにあることは、疲労感や精神衛生上好ましくない。
【０００７】
この発明は上記のような問題点を解決するためになされたもので、リモートコントロール装置の固定位置がどの方向を向いても常にリモートコントロール装置のキーの向きをユーザの使い易い方向に容易に固定・取り外しできるリモートコントロール装置を提供する。
【課題を解決するための手段】
【０００８】
この発明に係るリモートコントロール装置は
複数の操作箇所を有し、多機能操作が可能なリモートコントロール装置において、
操作キーを有する操作面以外の面に円形嵌合部を有するリモートコントロール装置本体と
このリモートコントロール装置本体の円形嵌合部と嵌合し、円形嵌合部の円周方向で任意の位置に位置決めする被嵌合部を有し、上記リモートコントロール装置本体を保持する保持具と、
この保持具に任意の位置で保持された上記リモートコントロール装置本体と保持具とを固定する固定具と、
上記保持具を操作環境内の任意の箇所に固着する固着具とを備える。
【発明の効果】
【０００９】
この発明によれば、固着具によって操作環境内の任意の箇所に固着された保持具の被嵌合部に、リモートコントロール装置本体の操作面を円方向に自由に回転し、任意の箇所で位置決めし、固定具によってリモートコントロール装置本体と保持具を決められた位置で固定するので、左右キーや十字キーなどの方向性のあるキーを有するリモートコントロール装置本体におけるキーの方向をユーザの好きな向きにすることができる。
従って左右キーや十字キーなどの方向性のあるキー操作を継続的に行う場合にも操作がし易く操作性が向上する。
【発明を実施するための最良の形態】
【００１０】
実施の形態１．
図１はこの発明の実施の形態１におけるリモートコントロール装置本体１の正面図、図２はリモートコントロール装置本体１の平面図、図３はこの発明の実施の形態１における保持具３を固着具１０によって、ハンドルのリム８に固着された一部を切り欠いた平面図、図４は図３の斜視図である。
この発明の実施の形態におけるリモートコントロール装置本体１は、その平面を図２に示すように操作面には多数の操作キーを有し複数の機能操作が可能である。２はリモートコントロール装置本体１の操作面の反対側に設けられ円柱状をなし、その周壁全面には縦方向に多数の歯車状の歯が設けられた円形嵌合部である。
【００１１】
ここで操作キーの機能を説明する。
■音楽キー
ナビゲーション装置のハードディスク内に保存された音楽を再生したいとき、曲やアーティストの選択を行う。
■行先キー
運転中に、周辺の施設を検索したり、過去の目的地の履歴リストを選択し、目的地の決定を行う。
■電話キー
携帯電話を接続した状態のとき、携帯電話の電話帳やナビの登録電話リストを選択/決定し、電話をかける。かかってきた電話を受けたり、通話の終了もこのキーで可能。
■戻るキー
各キーで起動した機能の操作中、間違った場合にひとつ階層を戻るときに使用する。
音声認識による操作中、誤認識した時の訂正もこのキーで可能。（認識を取り消す）
■発話キー
音声認識機能を起動させる。
■-/+キー
音楽の再生音を調整する。
■十字キー
縦キー：ナビゲーション装置の操作中、検索結果のリストを縦に順送りしたり、音楽再生中、アーティストやアルバム名の変更を行う。
横キー：ナビゲーション装置の操作中、メニュー表示タブを横に順送りしたり、音楽再生中、再生曲のスキップを行う。
十字キーの縦横使用で地図をスクロールする。
■実行キー
十字キーで選択したリスト項目を確定したり、選択した音楽の再生スタートを行う。
地図上で押し込むと、そのポイントを目的地や登録地とするメニューに入る。
この様に、この実施の形態のリモートコントロール装置は多数の操作キーを有し、多数の機能を操作できる。
【００１２】
保持具３はＬ字の縦棒を横棒よりも下側に延在させた形状をなし、縦棒の外側はハンドルリムに密接可能に円弧状をなしてハンドル接触部４を形成している。横棒に相当する平板部に円形の孔が設けられ、孔の内壁はその全周縦方向に複数の受け歯が設けられた被嵌合部５を備えている。この被嵌合部５は上記リモートコントロール装置本体１の円柱状円形嵌合部２が嵌合されるように受け歯の形状及び孔の寸法が決められている。６は平板部に設けられた貫通孔で、保持具３をハンドルリム８に固着させる固着具１０が貫挿可能に形成される。７はハンドル接触部４に突設されたＬ字形の係止片で、固着具１０の先端を係止めする。
【００１３】
固着具１０は弾性を有する材質によりバンド状に形成され、その両先端に保持具３の係止片７に係止め可能なように孔１１が設けられている。
【００１４】
このように構成されたリモートコントロール装置では、まず最初に固着具１０によって保持具３をハンドルリム８の任意の箇所に即ち、ユーザが操作し易い箇所に固定する。
このとき、保持具３のハンドル接触部４はその外側がハンドルリム８に密接可能に円弧形状をなし、かつ固着具１０はその材質が弾性を有するので、保持具３はハンドルリム８に緊着される。
次に、リモートコントロール装置本体１の操作キーの向きをユーザが操作し易い方向にして、円形嵌合部２を保持具３の被嵌合部５である円形孔に挿入する。
なお、この実施の形態では円形嵌合部２と被嵌合部５にそれぞれ設けられた歯が固定具の役目をし、ずれが起きることを防止している。
【００１５】
対応機種やターゲット、ユーザの好みに合わせて歯のピッチを可変させれば、精密な位置合わせ用から簡易な位置合わせ用まで任意に設定可能である。
図５と図６は歯のピッチを大きくした実施の形態１における他の実施例で、操作キーの向きの位置合わせは粗くなるが、製作が簡単で、歯の部分が欠け落ちる危険性が少なくなる。
【００１６】
以上のように、この実施の形態によれば、保持具３の取り付け箇所に係わりなく、リモートコントロール装置本体における左右キーや十字キーなどの方向性のあるキーの方向をユーザの好きな向きに取り付けることができる。
【００１７】
また、リモートコントロール装置本体１と保持具３の位置決めと固定を双方に設けられた歯車状の歯によって行っているので、固定具を別個に設ける必要がない。
【００１８】
さらに常に一定の向きにリモートコントロール装置本体を取り付けることができ、リモートコントロール装置本体から発信される操作信号（赤外線）の方向を一定にできるため操作を行う機器の受信性能の向上に有効となる。
例えば、車載機器においては、ハンドルのどの位置にリモートコントロール装置本体を取り付けても操作機器の方向に操作信号を発信することが出来る。
リモートコントロール装置本体と操作機器の位置関係によっては発信方向を調整してもよい。
【００１９】
また、車内においてナビゲーション装置を操作する場合、モニタに映し出された地図とリモートコントロール装置本体の上下左右を揃えることができるため、ナビゲーション装置において頻度の高い操作である「地図スクロール」を直感的に行うことができる。
【００２０】
リモートコントロール装置本体の背面に操作キーを追加して機能を追加する際にも向きが一定であれば操作キーの機能を覚えやすい。
【００２１】
リモートコントロール装置本体の電池が消耗した際、一般的にはリモートコントロール装置本体の背面の電池蓋を取り外して交換する。このとき、リモートコントロール装置本体の向きが一定であれば電池蓋の取り外し方向や電池の差込方向を覚えやすく、例えば車内においてリモートコントロール装置本体をハンドルに取り付けたまま手探りで電池交換の操作を行うこともできる。
【００２２】
実施の形態２．
図７はこの実施の形態におけるリモートコントロール装置の本体と保持具と固定具の分解斜視図である。図８はそれらを組み立てた状態の説明図である。
この実施の形態では、リモートコントロール装置本体１の円形嵌合部は円柱で、その底面は中心点から周辺に伸びる三角錐状の突起を複数有し、円柱の周壁にはリング状の突起１３を有している。
保持具３は、被嵌合部である円柱状の刳り抜き部５を備え、刳り抜き部５の内底面は上記リモートコントロール装置本体円柱部底面の複数の三角錐状の突起に嵌合する複数の三角錐状の突起を有している。この円柱状刳り抜き部５に形成された複数の三角錐状の突起とリモートコントロール装置本体１の円形嵌合部の複数の三角錐状突起とで位置決め機能を果たしている。また、保持具３における平板部のハンドル接触部４近傍には２箇所のネジ孔９が設けられている。
【００２３】
１５は、リモートコントロール装置本体１と保持具３とを固定する固定具で、Ｌ字状をなし横棒部の先端は円柱状の円形嵌合部２の円周に合致する円弧状の切り欠き部１６を有し、この切り欠き部１６の周辺が円形嵌合部２のリング状突起１３に係止めされる。
保持具３のネジ孔９に対応する固定具１５の位置にはネジ１７が貫挿するバカ孔１８が設けられている。
なお、上記以外の構成は実施の形態１と同様であるので説明を省略する。又、図７、図８では保持具３をハンドルリム８に固着させる固着具１０と保持具３の貫通孔６や係止片７を省略している。
【００２４】
以上のように構成されたこの実施の形態におけるリモートコントロール装置は、固着具によって保持具３をユーザが操作し易いハンドルリムの箇所に固定した後、リモートコントロール装置本体１の操作キーの向きをユーザが操作し易い方向にして、円形嵌合部２を保持具３の被嵌合部である円柱状の刳り抜き部５に挿入する。
この際、保持具３の円柱状刳り抜き部５に形成された複数の三角錐状の突起と、リモートコントロール装置本体１の円形嵌合部の複数の三角錐状突起とが嵌合することで位置決めされ、ずれを防止する。
その後、固定具１５の切り欠き部１６を、リモートコントロール装置本体１の円形嵌合部２に設けられたリング状の突起１３の保持具３の反対側に係止させ、ネジ１７をバカ孔１８を貫挿して保持具３のネジ孔９にネジ止めして固定する。
このようにして組み立てられた状態を図８に示す。
【００２５】
対応機種やターゲット、またはユーザの好みに合わせて保持具３の円柱状刳り抜き部５に形成された三角錐状の突起と、リモートコントロール装置本体１の円形嵌合部の三角錐状突起の三角錐の傾斜角を変えて突起の数を可変させれば、精密な位置合わせ用から簡易な位置合わせ用まで任意に設定可能である。
【００２６】
以上のように、この実施の形態によれば、保持具３の取り付け箇所に係わりなく、左右キーや十字キーなどの方向性のあるキーを有するリモートコントロール装置本体におけるキーの方向をユーザの好きな向きに取り付けることができる。
【００２７】
実施の形態３．
図９はこの実施の形態におけるリモートコントロール装置の本体と保持具と固定具の分解斜視図である。
この実施の形態では、リモートコントロール装置本体１の円形嵌合部と、保持具３の円柱状の刳り抜き部５の嵌合位置決めをループ状に閉じられた多数の繊維糸とこのループ状繊維糸に係合する多数の鉤状突起、所謂マジックテープ（登録商標）で行うものである。
保持具３は、被嵌合部である円柱状の刳り抜き部５を備え、刳り抜き部５の内底面は、全面にループ状に閉じられた多数の繊維糸が植毛される。
リモートコントロール装置本体１の円形嵌合部２は円柱で、その底面には保持具３の円柱状刳り抜き部５の内底面全面に植毛されたループ状繊維糸に係合する多数の鉤状突起が設けられている。
保持具３に植毛されたループ状に閉じられた多数の繊維糸と、リモートコントロール装置本体１に設けられた多数の鉤状突起とで、所謂マジックテープ（登録商標）を構成する。
上記以外の構成は実施の形態２と同様であるので説明を省略する。
【００２８】
以上のように構成されたこの実施の形態におけるリモートコントロール装置は、固着具によって保持具３をユーザが操作し易いハンドルリムの箇所に固定した後、リモートコントロール装置本体１の操作キーの向きをユーザが操作し易い方向にして、円形嵌合部２を保持具３の被嵌合部５である円柱状の刳り抜き部に挿入し押圧する。
その後、固定具１５の切り欠き部１６を、リモートコントロール装置本体１の円形嵌合部２に設けられたリング状の突起１３の保持具３の反対側に係止させ、ネジ１７をバカ孔１８を貫挿して保持具３のネジ孔９にネジ止めしてリモートコントロール装置本体１を保持具３に固定する。
なお、この実施の形態では位置決めするためのループ状繊維糸を保持具３に、ループ状繊維糸に係合する多数の鉤状突起をリモートコントロール装置本体１に設けたがこれは逆であってもよい。
【００２９】
以上のように、この実施の形態によれば、保持具３の取り付け箇所に係わりなく、左右キーや十字キーなどの方向性のあるキーを有するリモートコントロール装置本体におけるキーの方向をユーザの好きな向きに取り付けることができる。
保持具３と、リモートコントロール装置本体１の位置決めはマジックテープ（登録商標）で行うので、円周上の如何なる位置でも可能であり、微妙な位置合わせができる。
【００３０】
実施の形態４．
図１０はこの実施の形態におけるリモートコントロール装置の本体と保持具と固定具の分解斜視図である。
この実施の形態では、リモートコントロール装置本体１の円形嵌合部と、保持具３の円柱状の刳り抜き部５の嵌合位置決めを磁石と磁性体との磁力で行うものである。
リモートコントロール装置本体１の円形嵌合部は円柱で、その底面には磁性材料が全面に貼り付けられている。
保持具３は、被嵌合部である円柱状の刳り抜き部５を備え、刳り抜き部５の内底面は、全面に磁石が貼り付けられている。
上記以外の構成は実施の形態２と同様であるので説明を省略する。
【００３１】
以上のように構成されたこの実施の形態におけるリモートコントロール装置は、固着具によって保持具３をユーザが操作し易いハンドルリムの箇所に固定した後、リモートコントロール装置本体１の操作キーの向きをユーザが操作し易い方向にして、円形嵌合部２を保持具３の被嵌合部５である円柱状の刳り抜き部に挿入する。
その後、固定具１５の切り欠き部１６を、リモートコントロール装置本体１の円形嵌合部２に設けられたリング状の突起１３の保持具３の反対側に係止させ、ネジ１７をバカ孔１８を貫挿して保持具３のネジ孔９に固定する。
なお、この実施の形態では位置決めするための磁石を保持具３に、磁性材料をリモートコントロール装置本体１に設けたがこれは逆であってもよいし、双方に磁石を取り付けてもよい。但し双方に磁石を取り付ける場合は、その極性を逆にする必要がある。
【００３２】
以上のように、この実施の形態によれば、保持具３の取り付け箇所に係わりなく、左右キーや十字キーなどの方向性のあるキーを有するリモートコントロール装置本体におけるキーの方向をユーザの好きな向きに取り付けることができる。
保持具３と、リモートコントロール装置本体１の位置決めは磁石の磁力で行うので、円周上の如何なる位置でも可能であり、微妙な位置合わせができる。
【００３３】
実施の形態５．
図１１はこの実施の形態におけるリモートコントロール装置の本体と保持具と固定具の分解斜視図である。
この実施の形態は、リモートコントロール装置本体１と、保持具３の固定をネジで行うものである。
図１１において、リモートコントロール装置本体１の円形嵌合部２は円柱で、その底面にはネジ穴２０が設けられている。
保持具３の被嵌合部は上記リモートコントロール装置本体１の円形嵌合部２である円柱が嵌め合わされる円柱状の刳り抜き部５を備え、刳り抜き部５の内底面には上記リモートコントロール装置本体の円柱底面ネジ穴２０に対応する箇所に貫通孔２１が設けられている。
２２はネジで、保持具３の外側から貫通孔２１を貫通して上記リモートコントロール装置本体１の円柱に設けられたネジ穴２０にネジ止めすることで、上記リモートコントロール装置本体１と保持具３を固定する。
上記以外の構成は実施の形態２と同様であるので説明を省略する。
【００３４】
以上のように構成されたこの実施の形態におけるリモートコントロール装置は、固着具によって保持具３をユーザが操作し易いハンドルリムの箇所に固定した後、リモートコントロール装置本体１の操作キーの向きをユーザが操作し易い方向にして、円形嵌合部２を保持具３の被嵌合部５である円柱状の刳り抜き部に挿入する。
その後、固定具であるネジ２２を、リモートコントロール装置本体１の円形嵌合部２に設けられたネジ孔２１に保持具３を挟んで固定する。
この様にして組み立てられた状態を図１２に示す。
【００３５】
以上のように、この実施の形態によれば、保持具３の取り付け箇所に係わりなく、左右キーや十字キーなどの方向性のあるキーを有するリモートコントロール装置本体におけるキーの方向をユーザの好きな向きに取り付けることができる。
保持具３と、リモートコントロール装置本体１の位置決めはユーザが保持具３と、リモートコントロール装置本体１とを手で押さえることにより行うので、円周上の如何なる位置でも可能であり、微妙な位置合わせができる。
【００３６】
実施の形態６．
図１３はこの実施の形態におけるリモートコントロール装置の本体と保持具と固定具の分解斜視図である。
この実施の形態は、リモートコントロール装置本体１と、保持具３の固定をネジで行うものである。
図１３において、リモートコントロール装置本体１の円形嵌合部２は円柱で、その周壁の一部にリング状に断面Ｕ字状の溝２３が設けられている。
保持具３の被嵌合部は円柱状の孔５と、孔５の周壁部に外部から円柱孔５にまで貫通し内壁には雌ネジ山が切り刻まれたネジ孔２４が設けられている。
２５は固定具としてのネジで、保持具の側面外側からネジ孔によってその先端がＵ字状の溝に圧接することでリモートコントロール装置本体１と保持具３を固定する。
上記以外の構成は実施の形態２と同様であるので説明を省略する。
【００３７】
以上のように構成されたこの実施の形態におけるリモートコントロール装置は、固着具によって保持具３をユーザが操作し易いハンドルリムの箇所に固定した後、リモートコントロール装置本体１の操作キーの向きをユーザが操作し易い方向にして、円形嵌合部２を保持具３の被嵌合部である円柱状の刳り抜き部５に挿入する。
その後、固定具であるネジ２５を、保持具３のネジ孔２４にネジ込みながらネジ２５の先端がリモートコントロール装置本体１の円形嵌合部２に設けられたリング状に断面Ｕ字状の溝２３を圧接する迄にネジ込み、リモートコントロール装置本体１と保持具３を固定する。
この様にして組み立てられた状態を図１４に示す。
【００３８】
以上のように、この実施の形態によれば、保持具３の取り付け箇所に係わりなく、左右キーや十字キーなどの方向性のあるキーを有するリモートコントロール装置本体におけるキーの方向をユーザの好きな向きに取り付けることができる。
保持具３と、リモートコントロール装置本体１の位置決めはユーザが保持具３と、リモートコントロール装置本体１とを手で押さえることにより行うので、円周上の如何なる位置でも可能であり、微妙な位置合わせができる。
【００３９】
実施の形態７．
図１５はこの実施の形態におけるリモートコントロール装置の本体と保持具と固定具の分解斜視図である。
この実施の形態は、リモートコントロール装置本体１と、保持具３の固定をナット締めで行うものである。
図１５において、リモートコントロール装置本体１の円形嵌合部２は円柱で、その周壁にはネジ山２６が設けられボルト状に形成されている。
保持具３は上記リモートコントロール装置本体１の円形嵌合部２である円柱が滑り可能な程度に嵌合される円柱状の孔５が被嵌合部として設けられている。
２７は固定具としてのナットで、リモートコントロール装置本体１の円形嵌合部２が保持具３の円柱状の孔５に貫挿された後、保持具３の外側から締めることでリモートコントロール装置本体１と保持具３を固定する。
上記以外の構成は実施の形態２と同様であるので説明を省略する。
【００４０】
以上のように構成されたこの実施の形態におけるリモートコントロール装置は、固着具によって保持具３をユーザが操作し易いハンドルリムの箇所に固定した後、リモートコントロール装置本体１の操作キーの向きをユーザが操作し易い方向にして、円形嵌合部２を保持具３の被嵌合部である円柱状の孔５に挿入する。
その後、固定具であるナット２７を、リモートコントロール装置本体１の円形嵌合部２に設けられたネジ山２６にねじ込み、リモートコントロール装置本体１を保持具３にナット２７で固定する。
【００４１】
以上のように、この実施の形態によれば、保持具３の取り付け箇所に係わりなく、左右キーや十字キーなどの方向性のあるキーを有するリモートコントロール装置本体におけるキーの方向をユーザの好きな向きに取り付けることができる。
保持具３と、リモートコントロール装置本体１の位置決めはユーザが保持具３と、リモートコントロール装置本体１とを手で押さえることにより行うので、円周上の如何なる位置でも可能であり、微妙な位置合わせができる。
【００４２】
なお、上記各実施の形態においては、ハンドルリムにリモートコントロール装置を取り付ける場合について説明したが、リモートコントロール装置の取り付け位置は、車内において、例えばピラーやシフトノブをはじめその位置を選ばない。
さらに、この発明のリモートコントロール装置の取り付け環境は車内に限らず、オーディオ装置等が設置された車内以外の操作環境内であってもよい。
【００４３】
また、この発明は表示器への適用も可能であり、表示部を常にユーザに見やすい画角で固定できるため、例えば車において、ハンドル上に表示器を配置する場合でも容易に傾きの調整を行える。
【産業上の利用可能性】
【００４４】
この発明は、リモートコントロール装置に適用され、特に車載用のオーディオ装置や、ナビゲータ装置のリモートコントロール装置に適用されるとユーザの使い勝手のよいリモートコントロール装置を提供できる。
【図面の簡単な説明】
【００４５】
【図１】この発明の実施の形態１におけるリモートコントロール装置本体の正面図である。
【図２】リモートコントロール装置本体の平面図である。
【図３】この発明の実施の形態１における保持具を固着具によって、ハンドルのリムに固着された一部を切り欠いた平面図である。
【図４】固着具で、ハンドルのリムに固着された保持具を示す斜視図である。
【図５】この発明の実施の形態１におけるリモートコントロール装置本体の他の実施例の正面図である。
【図６】この発明の実施の形態１における他の実施例の保持具を固着具によって、ハンドルのリムに固着された一部を切り欠いた平面図である。
【図７】この発明の実施の形態２におけるリモートコントロール装置の本体と保持具と固定具の分解斜視図である。
【図８】図７の部品を組み立てた状態の説明図である。
【図９】この発明の実施の形態３におけるリモートコントロール装置の本体と保持具と固定具の分解斜視図である。
【図１０】この発明の実施の形態４におけるリモートコントロール装置の本体と保持具と固定具の分解斜視図である。
【図１１】この発明の実施の形態５におけるリモートコントロール装置の本体と保持具と固定具の分解斜視図である。
【図１２】図１１の部品を組み立てた状態の説明図である。
【図１３】この発明の実施の形態６におけるリモートコントロール装置の本体と保持具と固定具の分解斜視図である。
【図１４】図１３の部品を組み立てた状態の説明図である。
【図１５】この発明の実施の形態６におけるリモートコントロール装置の本体と保持具と固定具の分解斜視図である。
【図１６】図１５の部品を組み立てた状態の説明図である。
【符号の説明】
【００４６】
１：リモートコントロール装置本体、２：円形嵌合部、３：保持具、４：ハンドル接触部、５：被嵌合部、６、２１：貫通孔、７：係止片、８：ハンドルリム、９、２４：ネジ孔、１０：固着具、１３：突起、１５：固定具、１６：切り欠き部、１７、２２、２５：ネジ、１８：バカ孔、２０：ネジ穴、２３：Ｕ字状溝、２６：ネジ山、２７：ナット。
【図１】
2006290143.tif 000003
【図２】
2006290143.tif 000004
【図３】
2006290143.tif 000005
【図４】
2006290143.tif 000006
【図５】
2006290143.tif 000007
【図６】
2006290143.tif 000008
【図７】
2006290143.tif 000009
【図８】
2006290143.tif 000010
【図９】
2006290143.tif 000011
【図１０】
2006290143.tif 000012
【図１１】
2006290143.tif 000013
【図１２】
2006290143.tif 000014
【図１３】
2006290143.tif 000015
【図１４】
2006290143.tif 000016
【図１５】
2006290143.tif 000017
【図１６】
2006290143.tif 000018